【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
処理システムへのワークの投入を検出する第１検出部と、
前記処理システムにおける前記ワークの通過を検出する第２検出部と、
前記第１検出部からの検出信号に基づくイベントデータの収集に応じて、複数の状態と、前記複数の状態間の遷移と、アクションと、を含み、それぞれの前記ワークに対応するモデルとしてのステートマシンを生成し、前記ステートマシンにＩＤを発番する生成部、および、
前記第２検出部からの検出信号に基づく別のイベントデータの収集に応じたイベントを、前記ステートマシンに送信して駆動させる駆動部、
を有するデータ収集システムと、
を備え、
前記アクションの少なくとも一部は、前記ＩＤが付帯されたイベントを送信するアクションである処理システム。
【請求項２】
前記データ収集システムは、
前記処理システムにおいて前記ワークが処理される際のプロセスデータを収集するプロセスデータ収集部、
紐付け部、および、
プロセスデータ出力部、
をさらに有し、
前記アクションの前記少なくとも一部は、前記駆動部によって駆動されて所定の前記状態への入場および退場が行われた際に、前記プロセスデータの切出しを行うための二次イベントを送信する二次イベント送信アクションを含み、
前記二次イベントには、前記ＩＤが付帯され、
前記紐付け部は、前記二次イベントを受信した際に、前記プロセスデータに対して前記二次イベントに付帯された前記ＩＤを付与し、
前記プロセスデータ出力部は、前記ＩＤが付与された前記プロセスデータの、ファイル保存およびデータ送信の少なくともいずれかを行う請求項１記載の処理システム。
【請求項３】
前記ステートマシンは、前記ワークが処理される際に前記二次イベントを送信し、
前記紐付け部は、受信した前記二次イベントに応じて、前記プロセスデータの一部を切り出し、前記プロセスデータの一部に対して前記二次イベントに付帯された前記ＩＤを付与し、
前記プロセスデータ出力部は、前記ＩＤが付与された前記プロセスデータの一部の、ファイル保存およびデータ送信の少なくともいずれかを行う請求項２記載の処理システム。
【請求項４】
前記プロセスデータは、前記ワークが処理される際の圧力および温度の少なくともいずれかの波形データである請求項２または３に記載の処理システム。
【請求項５】
前記プロセスデータを検出し、前記プロセスデータ収集部に送信する第３検出部と、
前記ワークに付帯された情報を検出する第４検出部と、をさらに備え、
前記生成部は、前記ＩＤと前記情報との紐付けを行う請求項２〜４のいずれか１つに記載の処理システム。
【請求項６】
前記データ収集システムは、
生成される前記ステートマシンが採り得る状態を含む状態リストと、受信イベントリストと、を定義するステートマシンモデルファイル、
ユーザがＧＵＩ画面上で前記ステートマシンモデルファイルを編集できるように構成されたステートマシンモデル編集ツールであって、複数の前記ステートマシンモデルファイルから、データ収集の対象となる前記処理システムに対応する１つの前記ステートマシンモデルファイルを選択可能に構成されたステートマシンモデル編集ツール、および、
前記ステートマシンが生成されるイベントを定義するステートマシン生成タイミング定義ファイル、
をさらに有する請求項１〜５のいずれか１つに記載の処理システム。
【請求項７】
処理システムへのワークの投入を検出する第１検出部と、
前記処理システムにおける前記ワークの通過を検出する第２検出部と、
前記第１検出部からの検出信号に基づくイベントデータの収集に応じて、複数の状態と、前記複数の状態間の遷移と、アクションと、を含み、それぞれの前記ワークに対応するモデルとしてのステートマシンを生成し、前記ステートマシンにＩＤを発番する生成部、
前記第２検出部からの検出信号に基づく別のイベントデータの収集に応じたイベントを、前記ステートマシンに送信して駆動させる駆動部、および、
前記処理システムにおける通過が検出されなかった前記ワークに対応し、且つ終端化されていない前記ステートマシンを終端化させる消去部、
を有するデータ収集システムと、
を備えた処理システム。
【請求項８】
前記データ収集システムは、
それぞれの前記状態と、前記処理システムのそれぞれの場所と、の対応が記憶された対応マスタ、および、
それぞれの前記状態およびそれぞれの前記場所における前記ステートマシンの滞在上限数が記憶された滞在上限数マスタ、
をさらに有し、
前記消去部は、前記ステートマシンの遷移時に、
前記対応マスタを参照し、遷移後の前記状態に対応する前記場所を取得し、
遷移後の当該状態および当該場所におけるそれぞれの前記ステートマシンの予定滞在数を算出し、
前記滞在上限数マスタを参照して、当該状態および当該場所におけるそれぞれの前記滞在上限数を取得し、
前記予定滞在数および前記滞在上限数から滞在超過数を算出し、
当該状態および当該場所におけるそれぞれの前記滞在超過数の前記ステートマシンを終端化させる、
請求項７記載の処理システム。
【請求項９】
コンピュータを、
処理システムへのワークの投入を示すイベントデータの収集に応じて、複数の状態と、前記複数の状態間の遷移と、アクションと、を含み、それぞれの前記ワークに対応するモデルとしてのステートマシンを生成し、前記ステートマシンにＩＤを発番する生成部、および、
前記処理システムにおける前記ワークの通過を示す別のイベントデータの収集に応じたイベントを、前記ステートマシンに送信して駆動させる駆動部、
として機能させるためのプログラムであって、
前記アクションの少なくとも一部は、前記ＩＤが付帯されたイベントを送信するアクションである、プログラム。
【請求項１０】
前記コンピュータを、
前記ワークが処理される際のプロセスデータを収集するプロセスデータ収集部、
紐付け部、および、
プロセスデータ出力部、
としてさらに機能させ、
前記アクションは、前記駆動部によって駆動されて所定の前記状態への入場および退場が行われた際に、前記プロセスデータの切出しを行うための二次イベントを送信する二次イベント送信アクションを含み、
前記二次イベントには、前記ＩＤが付帯され、
前記紐付け部は、前記二次イベントを受信した際に、前記プロセスデータに対して前記二次イベントに付帯された前記ＩＤを付与し、
前記プロセスデータ出力部は、前記ＩＤが付与された前記プロセスデータの、ファイル保存およびデータ送信の少なくともいずれかを行う請求項９記載のプログラム。
【請求項１１】
前記ステートマシンは、前記ワークが処理される際に前記二次イベントを送信し、
前記紐付け部は、受信した前記二次イベントに応じて、前記プロセスデータの一部を切り出し、前記プロセスデータの一部に対して前記二次イベントに付帯された前記ＩＤを付与し、
前記プロセスデータ出力部は、前記ＩＤが付与された前記プロセスデータの一部の、ファイル保存およびデータ送信の少なくともいずれかを行う請求項１０記載のプログラム。
【請求項１２】
前記プロセスデータは、前記ワークが処理される際の圧力および温度の少なくともいずれかの波形データである請求項１０または１１に記載のプログラム。
【請求項１３】
コンピュータを、
処理システムへのワークの投入を示すイベントデータの収集に応じて、複数の状態と、前記複数の状態間の遷移と、アクションと、を含み、それぞれの前記ワークに対応するモデルとしてのステートマシンを生成し、前記ステートマシンにＩＤを発番する生成部、
前記処理システムにおける前記ワークの通過を示す別のイベントデータの収集に応じたイベントを、前記ステートマシンに送信して駆動させる駆動部、および、
前記処理システムにおける通過が検出されなかった前記ワークに対応し、且つ終端化されていない前記ステートマシンを終端化させる消去部、
として機能させるプログラム。
【請求項１４】
前記コンピュータを、
それぞれの前記状態と、前記処理システムのそれぞれの場所と、の対応が記憶された対応マスタ、および、
それぞれの前記状態およびそれぞれの前記場所における前記ステートマシンの滞在上限数が記憶された滞在上限数マスタ、
としてさらに機能させ、
前記消去部は、前記ステートマシンの遷移時に、
前記対応マスタを参照し、遷移後の前記状態に対応する前記場所を取得し、
遷移後の当該状態および当該場所におけるそれぞれの前記ステートマシンの予定滞在数を算出し、
前記滞在上限数マスタを参照して、当該状態および当該場所におけるそれぞれの前記滞在上限数を取得し、
前記予定滞在数および前記滞在上限数から滞在超過数を算出し、
当該状態および当該場所におけるそれぞれの前記滞在超過数の前記ステートマシンを終端化させる請求項１３記載のプログラム。
【請求項１５】
請求項９〜１４のいずれか１つに記載の前記プログラムを格納した記憶媒体。
【手続補正２】
【補正対象書類名】明細書
【補正対象項目名】発明の名称
【補正方法】変更
【補正の内容】
【発明の名称】処理システム、プログラム、および記憶媒体
【手続補正３】
【補正対象書類名】明細書
【補正対象項目名】０００１
【補正方法】変更
【補正の内容】
【０００１】
本発明の実施形態は、処理システム、プログラム、および記憶媒体に関する。
【手続補正４】
【補正対象書類名】明細書
【補正対象項目名】０００４
【補正方法】変更
【補正の内容】
【０００４】
本発明が解決しようとする課題は、ワークの処理過程を容易に追跡可能な処理システム、プログラム、および記憶媒体を提供することである。
【手続補正５】
【補正対象書類名】明細書
【補正対象項目名】０００５
【補正方法】変更
【補正の内容】
【０００５】
実施形態に係る処理システムは、第１検出部と、第２検出部と、データ収集システムと、を含む。前記第１検出部は、処理システムへのワークの投入を検出する。前記第２検出部は、前記処理システムにおける前記ワークの通過を検出する。前記データ収集システムは、生成部および駆動部を含む。前記生成部は、前記第１検出部からの検出信号に基づくイベントデータの収集に応じて、複数の状態と、前記複数の状態間の遷移と、アクションと、を含み、それぞれの前記ワークに対応するモデルとしてのステートマシンを生成し、前記ステートマシンにＩＤを発番する。前記駆動部は、前記第２検出部からの検出信号に基づく別のイベントデータの収集に応じたイベントを、前記ステートマシンに送信して駆動させる。前記アクションの少なくとも一部は、前記ＩＤが付帯されたイベントを送信するアクションである。